(57)【特許請求の範囲】
【請求項１】
外枠(A)に組付けられる前枠(B)と、この前枠(B)の開口領域(11)後側に設けたセット枠(12)と、このセット枠(12)のセット面域(13)に合わせて着脱可能にセットされ、パチンコ球用のゲーム領域(43)を有する遊技盤(D)と、前枠(B)の前面側に開閉可能に組付けられ、遊技盤(D)の透視保護窓であるガラス扉(C)と、前枠(B)における前記開口領域(11)の前面側下部に開閉可能に組付けられ、上球皿(E)を固定装備した開閉板と、前記セット枠(12)のセット面域(13)の下部に成形され、前記上球皿(E)と前後に整合すると共に、前記遊技盤(D)と上下に整合する遊技補助盤(20)とを備え、
前記遊技盤(D)のゲーム領域(43)に設けた案内レール(28)の下端に、上端を対向させて離間配置した発射レール(26)を遊技補助盤(20)の前面に設置して、案内レール(28)の下端と発射レール(26)の上端との間にファール球口(31)を開口し、該ファール球口(31)を落下したファール球が、遊技補助盤(20)の前面側を通出して前記前枠(B)の下部に開口した給出口(15)を介して下球皿(E)に回収されるパチンコ遊技機において、
前記遊技補助盤(20)の前面側に形成され、前記ファール球口(31)内に落ちたファール球を受けるＬ字形の壁部(33)と、
前記遊技補助盤(20)に形成され、前記壁部(33)で画成される受け口(32)からのファール球を回収して前記給出口(15)側へ排出する球回収口(34)と、
前記遊技補助盤(20)の前面側における前記受け口(32)と前記球回収口(34)との間に延在し、対向する案内防止壁(36,36)により形成されたクランク状のファール球回収路(35)と、
前記ファール球口(31)を挟んで左右両側の前側に、前記セット枠(12)における遊技補助盤(20)の上縁に沿って左右方向に水平状に形成された庇状部(45)を備え、
前記庇状部(45)は、前記前枠(B)の開口領域(11)内に向けた前方に水平状に延出され、その前端縁部(45a)を前記ガラス扉(C)または前記上球皿(E)の裏側に密着させ、前記遊技補助盤(20)の前面側と前記セット枠(12)のセット面域(13)側とを隔離するよう構成した
ことを特徴とするパチンコ遊技機。
【請求項２】
前記受け口(32)、前記ファール球回収路(35)および前記球回収口(34)の前面に、前記壁部(33)および前記案内防止壁(36,36)の前端に接触させた状態でカバー部材(37)が組付けられ、該カバー部材(37)により受け口(32)、ファール球回収路(35)および球回収口(34)を被覆している請求項１記載のパチンコ遊技機。
【発明の詳細な説明】
【０００１】
【発明の属する技術分野】
この発明は、縦向き状態で遊技に供されて、機内にセットされた遊技盤のゲーム領域内でパチンコゲームを展開し得るパチンコ遊技機に関するものである。
【０００２】
【従来の技術】
従来から実施されているパチンコ機やアレンジボール機に代表される遊技機では、球送り装置と打球発射装置の協働により、上球皿内の遊技球を機内の発射レールの発射部位に１球ずつ送込んで同部位から遊技盤の案内レール内のゲーム領域に打出してゲームを行なうようになっている。そして、ゲーム中にゲーム領域で発生または成立した入賞条件(例えばセーフ球)に対する賞球は、裏側の機構セット盤における賞球払出部から払出された後、該セット盤内の主排出路から前枠内側における遊技補助盤の給出口および上球皿裏側の球受け筒を介し、該上球皿内へ優先的に給出される。また、前記上球皿が満杯状態になった以後に払出される余剰分の賞球は、下球皿側に連絡する副排出路および前枠の下部裏側の球受け容器を介し、該下球皿内へ給出されるようになっている。
【０００３】
一方、このような遊技機でのゲーム中においては、多かれ少なかれ一般にファール球または戻り球とも呼ばれている非遊技球、つまり発射部位から１球ずつ打出されたものの、打球力(発射飛走力)不足等に起因してゲーム領域内に適正に到達し得ないまま案内レールに沿って降下して遊技補助盤の発射レール側へ逆戻りしようとする非遊技球が、不定期ではあるが必ず発生している。このため何れのパチンコ機においても、ファール球の回収経路として発射レールの上端と案内レールの下端との間に、遊技補助盤の上部中央に位置する戻し口(ファール口ともいう)が適宜離隔開口広さで形成されて、この戻し口内に落下したファール球を、遊技補助盤の下部中央に開口した球回収口から一旦裏側へ通出して下球皿の皿内に戻して回収し得るようになっている。
【０００４】
【発明が解決しようとする課題】
ところで、前述した遊技機においては、戻し口を基準に観て前記給出口に適宜間隔をおいて連絡する上球皿の球受け筒が左側の近傍位置に臨み、また球回収口が略真下の位置にあり、この球回収口を介し下球皿の皿内が連絡状態にある。このため従来の遊技機では、機体前側において、遊技盤のゲーム領域に対する不正行為が行なわれ易い問題を内在していた。すなわち不正者は、棒線状の異物(ワイヤ等)を使用する異物不正侵入操作として、この異物を巧みに操りながら、該異物を上球皿の皿内から球受け筒内に挿入させて遊技補助盤の前面に通した後に戻し口内に延出させたり、下球皿の皿内から球受け容器内に挿入させて球回収口から遊技補助盤の前面に通した後に戻し口内に延出させる。そして何れの球皿からの不正操作にあっても、遊技補助盤の前面側に侵入させた異物を、遊技盤の案内レールとガラス扉の内側ガラス板との間に通してゲーム領域内に到達させ、目標とする遊技部品(例えばチューリップタイプの開閉入賞装置)の羽根等を異物で不正に開放させることで、不正なゲームによる利益を得ようとするのである。従って、このような不正行為を好適に阻止する技術が希求されていた。
【０００５】
【発明の目的】
本発明は、前述した課題を好適に解決するために新規に提案されたもので、機内にセットされた遊技盤のゲーム領域内への異物(例えば線状材等)の不正侵入を阻止し得るようにしたパチンコ遊技機を提供することを目的とする。
【０００６】
【課題を解決するための手段】
前述した課題を克服し、所期の目的を達成するため本発明に係るパチンコ遊技機は、
外枠に組付けられる前枠と、この前枠の開口領域後側に設けたセット枠と、このセット枠のセット面域に合わせて着脱可能にセットされ、パチンコ球用のゲーム領域を有する遊技盤と、前枠の前面側に開閉可能に組付けられ、遊技盤の透視保護窓であるガラス扉と、前枠における前記開口領域の前面側下部に開閉可能に組付けられ、上球皿を固定装備した開閉板と、前記セット枠のセット面域の下部に成形され、前記上球皿と前後に整合すると共に、前記遊技盤と上下に整合する遊技補助盤とを備え、
前記遊技盤のゲーム領域に設けた案内レールの下端に、上端を対向させて離間配置した発射レールを遊技補助盤の前面に設置して、案内レールの下端と発射レールの上端との間にファール球口を開口し、該ファール球口を落下したファール球が、遊技補助盤の前面側を通出して前記前枠の下部に開口した給出口を介して下球皿に回収されるパチンコ遊技機において、
前記遊技補助盤の前面側に形成され、前記ファール球口内に落ちたファール球を受けるＬ字形の壁部と、
前記遊技補助盤に形成され、前記壁部で画成される受け口からのファール球を回収して前記給出口側へ排出する球回収口と、
前記遊技補助盤の前面側における前記受け口と前記球回収口との間に延在し、対向する案内防止壁により形成されたクランク状のファール球回収路と、
前記ファール球口を挟んで左右両側の前側に、前記セット枠における遊技補助盤の上縁に沿って左右方向に水平状に形成された庇状部を備え、
前記庇状部は、前記前枠の開口領域内に向けた前方に水平状に延出され、その前端縁部を前記ガラス扉または前記上球皿の裏側に密着させ、前記遊技補助盤の前面側と前記セット枠のセット面域側とを隔離するよう構成したことを特徴とする。
【０００７】
【作用】
セット枠における遊技補助盤の上縁に、左右方向に延在しかつ水平前方に延出するよう形成した庇状部により、遊技補助盤の前面側とセット枠にセットした遊技盤側とが隔離される。従って、例えば上球皿または下球皿から遊技補助盤の前面側へ侵入させた異物は、前記庇状部により遊技盤側へ更に侵入させることが困難となり、該異物を遊技盤のゲーム領域へ侵入させる不正行為が好適に阻止される。
【０００８】
【発明の実施の形態】
次に、本発明に係るパチンコ遊技機につき、好適な実施例を挙げて、添付図面を参照しながら以下詳細に説明する。なお本実施例では、縦型遊技機として、遊技店内の設置枠台(島)に所定の縦向き後傾姿勢に固定保持されて遊技に供されるパチンコ機を主に示す。
【０００９】
(パチンコ機の概略説明)
本実施例のパチンコ機Ｐは、その基本的構成の概要として図１に略示するように、外郭保持枠をなす縦長矩形状の外枠Ａの開口前面側に、各種の遊技用構成部材をセットする縦長方形の前枠Ｂが、所要の開閉連結支持部および施錠手段を利用して横開き形態で開閉および着脱が可能に組付けられている。そしてこの前枠Ｂの前面側に、遊技盤Ｄの透視保護窓である後述のガラス扉Ｃと、上球皿Ｅを固定装備した開閉板とが、所要の開閉連結支持部を利用して共に横開き形態で開閉可能に組付け整合される。また、前枠Ｂの下部に下球皿Ｆおよび打球発射装置Ｇにおける打球操作部Ｇ1等が装着セットされ、更に前枠Ｂの裏側に各種の球経路および球処理・払出部等を備えた機構セット盤Ｉ(図５,図６)がセットされ、これにより一台のパチンコ機が形成される。なお本実施例のパチンコ機Ｐは、図８および図９に示すように遊技盤前側着脱形態、つまり前枠Ｂ前側のガラス扉Ｃおよび上球皿Ｅを開放(横開き)したもとで、前枠Ｂの裏側に設けた後述のセット保持枠１２に対して遊技盤Ｄを前側から組込んだり取外す形態が例とされている。
【００１０】
(前枠)
前記前枠Ｂは、図２〜図４に示すように、全体が合成樹脂成形されたものが例示され、前記外枠Ａの開口前面域に整合する外形サイズに成形されて内側に正面縦長方形の窓枠口(開口領域)１１を開口した枠体１０と、この枠体１０の裏側に一体成形されて前記窓枠口１１の正面内部に臨む遊技盤用のセット口(セット面域)１３を開口したセット保持枠(セット枠)１２とが、前後に一体的に連設された内外二重枠形態とされている。そして前記枠体１０においては、窓枠口１１の下部に下球皿Ｆや前記打球発射装置Ｇの打球発射部Ｇ2等を設置するための設置盤１４が成形される一方、その中央部に賞球用の給出口１５が開口され、また窓枠口１１の上縁部および右縁部に亘り電光装飾部１６を設置するための設置部１７が成形されている。また前記窓枠口１１は、前面側から出入れ(着脱)される遊技盤Ｄのセット面域および出入れ口ともされ、その下部開口面域内に上球皿Ｅ(開閉板)を開閉可能に組付けセットし得るようになっている。そして、窓枠口１１の開口前面の３周縁(上縁および左右の側縁)を凹設して、ガラス扉Ｃを整合収容し得るセット面域１８が画成されている。
【００１１】
(セット保持枠)
一方、前記セット保持枠１２においては、図２〜図４に示すように、窓枠口１１の下部内側において前記上球皿Ｅに整合する位置に遊技補助盤(「遊技補助枠部」とも云う)２０が一体成形されており、この遊技補助盤２０の上端縁を基準にして前記セット口１３が開口されている。このセット口１３における内周４ヶ所の隅部には、略４５度に形成された斜状壁部２７がセット保持枠１２に一体的に形成されており、これら各斜状壁部２７には、遊技盤Ｄをセット保持枠１２に固定するための回動式の取付装置Ｈが設置されている。なお、このセット口１３の内周端面に、遊技盤Ｄに対する位置決め用の突座１９,１９が形成されている。ちなみに前枠Ｂは、枠体１０で構成されるタイプのものとして、窓枠口１１の裏側に別成形されたセット保持枠１２を整合固定するものであってもよい。
【００１２】
前記遊技補助盤２０では、その裏側にアウト路２１が形成される他に、正面左側上部に賞球用の給出口２２が開口され、また正面左側には、スピーカ２５を収容したケース体２４からなり、遊技内容に応じた効果音を発生する効果音発生装置２３が設置されている。また正面右側には、遊技盤Ｄの案内レール２８に飛翔連絡される発射レール２６が適宜傾斜で設置され、その下端(右端)の発射位置に上球皿Ｅからの遊技球を着座させ得ると共に、前記打球発射装置Ｇにおける打球発射部Ｇ2の打球杆２９を臨ませ得るようになっている。そして、双方のレール２６,２８について観ると、図３に示すように、発射レール２６の上端と案内レール２８の下端が、遊技補助盤２０の上面に近い下方位置と上方位置にあって、互いに適宜高低差および離隔空間広さを以って対向しており、この開口域をファール球用のファール球口(「戻し口」とも云う)３１として構成している。ちなみに発射レール２６に沿った軌跡を基準に観ると案内レール２８の下端は下位にあり、両レール２６,２８の上,下端が略球１個分の高低差に設定されている。
【００１３】
また、前記遊技補助盤２０の前面中央には、前記ファール球口３１内に落ちたファール球を受ける略Ｌ形の壁部３３で画成された受け口３２と、この受け口３２からのファール球を回収して前記下球皿Ｆ側へ排出し得る球回収口３４が形成されると共に、これら受け口３２および球回収口３４との間には、案内防止壁３６により形成されたクランク状のファール球回収路３５が延在している。そして前記球回収口３４は、遊技補助盤２０の裏側に形成されて前記給出口１５に連通するファール球通出路３９の上流部に臨んでおり(図５)、前記受け口３２,ファール球回収路３５,球回収口３４を介して通出されたファール球は、このファール球通出路３９を通って下球皿Ｆへ回収される。また、前記受け口３２,ファール球回収路３５および球回収口３４の前面には、所要形状に一体成形されたカバー部材３７が、その壁部３８を前記壁部３３および案内防止壁３６の先端部(前端)に接触させた状態で組付けられ、該受け口３２,ファール球回収路３５および球回収口３４を被覆するようになっている。従って不正者が、例えば図５に示すように、下球皿Ｆから給出口１５,ファール球通出路３９,球回収口３４を介して遊技補助盤２０の前面に棒線状(ワイヤ状)の異物Ｗを侵入させたとしても、前記壁部３３と案内防止壁３６およびカバー部材３７により前記ファール球口３１側への該異物Ｗの侵入が不可能であり、該ファール球口３１を介して遊技盤Ｄのゲーム領域４３へ異物Ｗを侵入させる不正行為を阻止し得るようになっている。なお、前記球回収口３４と効果音発生装置２３の間には、垂直に延在する隔壁４０が形成されている。
【００１４】
(庇状部)
更に、前記遊技補助盤２０の上縁に沿った部位(前記セット口１３の下縁にそった部位)において、前記ファール球口３１を挟んだ左右両側の前側には、前記前枠Ｂの奥行寸法と略同一に水平前方へ延出した庇状部４５が形成されており、その前端縁部４５ａが該前枠Ｂにおける窓枠口１１の前端部まで臨んでいる。そしてこの庇状部４５は、図４および図６に示すように、前記ファール球口３１の左側に形成された左庇片４６が、前記給出口２２の上縁に沿って延在すると共にこの部分が適宜上方へ突出している一方、前記ファール球口３１の右側に形成された右庇片４７が、右側半分が適宜低くなった段差状を呈している。そして、前記左,右庇片４６,４７において、前記ファール球口３１に隣接した所要部位は、前記セット保持枠１２におけるセット口１３の下縁部と段差なく連続的に延在しており、この部位が遊技盤Ｄ用の受け部４８として機能するようになっている。すなわちこれら受け部４８,４８は、図９に示すように、前記遊技盤Ｄを縦向き状態でセット口１３に対して出入れする際に、該遊技盤Ｄの下部を一旦受け得るようにしたもので、遊技盤Ｄの着脱作業の容易化を図るためのものである。
【００１５】
また前記庇状部４５は、前枠Ｂの窓枠口１１の左右内側に連設され、かつ該窓枠口１１の前端部まで延出しているので、前記ガラス扉Ｃおよび上球皿Ｅを前枠Ｂに閉成した際には、該庇状部４５の前端縁部４５ａがこれらガラス扉Ｃまたは上球皿Ｅの裏側に密着し、遊技補助盤２０の前面側とセット枠１２のセット口１３側とを完全に隔離するようになる。従って不正者が、図６に示すように、例えば棒線状(ワイヤ状)の異物Ｗを上球皿Ｅの皿内から球受け筒４２内に挿入させた後、該球受け筒４２の後端と遊技補助盤２０の前面との間を介して該遊技補助盤２０の前面に侵入させたとしても、前記庇状部４５が遊技補助盤２０の上縁部に沿って左右に延在すると共に前記壁部３３が該遊技補助盤２０の上縁部まで延在しているので、遊技盤Ｄのゲーム領域４３側への該異物Ｗの侵入を好適に阻止し得るようになっている。一方、前記下球皿Ｆから給出口１５,ファール球通出路３９,球回収口３３を介して遊技補助盤２０の前面に侵入させた異物Ｗを、前記効果音発生装置２３側または前記発射レール２６側に侵入させることができたとしても、図７に示すように前記庇状部４５が遊技補助盤２０の上縁部に沿って左右に延在すると共に、前記壁部３３が遊技補助盤２０の上縁部まで延在しているので、同じく遊技盤Ｄのゲーム領域４３側への該異物Ｗの侵入を好適に阻止し得る。
【００１６】
【実施例の作用】
次に、前述のように構成された本実施例に係るパチンコ遊技機の作用につき説明する。前記パチンコ機Ｐでは、その製造段階において、前記前枠Ｂおよびセット保持枠１２を一体成形すると共に、該セット保持枠１２における遊技補助盤２０の前面略中央部位に壁部３３および案内防止壁３６が一体成形される一方、該遊技補助盤２０の上端部に庇状部４５が一体成形される。そして、別途成形されたカバー部材３７を、受け口３２,ファール球回収路３５および球回収口３４を被覆した状態で遊技補助盤２０に組付ける。
【００１７】
また、前記セット保持枠１２のセット口１３に対する遊技盤Ｄのセットに際しては、前記前枠Ｂに組付けたガラス扉Ｃおよび上球皿Ｅを共に開放したもとで、セット保持枠１２に対して遊技盤Ｄを前側から好適に着脱し得る。すなわち遊技盤Ｄの組込みセットでは、その操作状態を図８および図９に示すように、遊技盤Ｄを縦向き状態で前記庇状部４５の受け部４８に一旦載せ受け、次いで遊技盤Ｄを縦向き状態で前記突部１９,１９に沿って押込んでセット口１３内に収容した後、前記取付装置Ｈでロック固定する。なお遊技盤Ｄの取外しでは、先ず前記取付装置Ｈによるロックを解除したもとで、遊技盤Ｄをセット保持枠１２の前側へ引出して前記庇状部４５の受け部４８に一旦載せ受け、そしてやや前傾姿勢となった遊技盤Ｄを前側へ持出して取外せばよい。従って本実施例のパチンコ機Ｐでは、相当な重量物である遊技盤Ｄの着脱作業を、手早く簡単に行なうことが可能である。
【００１８】
そして、セット保持枠１２のセット口１３に対する遊技盤Ｄの組込みが完了したら、前記ガラス扉Ｃおよび上球皿Ｅを前枠Ｂへ閉成する。これにより、これらガラス扉Ｃまたは上球皿Ｅの裏面に前記庇状部４５の前端縁部４５ａが密着するようになり、遊技補助盤２０の前面側と遊技盤Ｄのゲーム領域４３とが完全に隔離する。
【００１９】
このような本実施例のパチンコ機Ｐにおいては、上球皿Ｅを閉鎖セット状態に保持したもとで遊技に供され、通常のパチンコゲームとして、上球皿Ｅ内に遊技用のパチンコ球が投入(貯留)された前提において、該上球皿Ｅ側に装着された球送り装置の球送り作動と、前記打球発射装置Ｇにおける打球発射部Ｇ2の打球作動との協働により、遊技球が１球ずつ発射レール２６の発射部位に送り込まれて着座後に打球杆２９で打出される。そして発射された遊技球は、発射レール２６からファール球口３１を飛び越えて遊技盤Ｄの案内レール２８に沿って飛走してゲーム領域４３内へ打込まれ、各方向へ移動,落下しながら入賞口へ入ったものがセーフ球、入賞口へ入らずに最終的にアウト口に回収されたものがアウト球として区分通出される。
【００２０】
また、発射部位から発射されたものの、打球力不足等に起因してゲーム領域４３内へ到達し得なかった遊技球については、ファール球口３１から受け口３２へ受入れた後、ファール球回収路３５を通って球回収口３４の右側に落下し、この球回収口３４から裏側のファール球通出路３９および給出口１５を介して下球皿Ｆの皿部内に回収される。
【００２１】
ところで本実施例のパチンコ機Ｐでは、遊技機前側の下球皿Ｆに臨む球回収口３４を利用して、針金状や帯状材等の異物Ｗを遊技盤Ｄのゲーム領域４３に侵入させる不正行為を好適に阻止し得る。すなわち不正者が、下球皿Ｆの皿部内から給出口１５を介して侵入させた異物Ｗを、ファール球通出路３９,球回収口３４を介して遊技補助盤２０の前面側に侵入させ、前記ファール球口３１を介して遊技盤Ｄのゲーム領域４３へ侵入させようとした場合には、前述すると共に図５に示すように、壁部３３および案内防止壁３６がファール球口３１側を完全に隔離していると共に、これら壁部３３および案内防止壁３６が前記カバー部材３７の壁部３８に完全に密着しているので、前記異物Ｗをファール球口３１側へ侵入させることは全く不可能である。従って本実施例のパチンコ機Ｐによれば、下球皿Ｆから侵入させた異物Ｗを、ファール球口３１を介して遊技盤Ｄのゲーム領域４３へ侵入させる不正行為を完全に阻止し得る。
【００２２】
また不正者が、下球皿Ｆの皿部内から給出口１５を介して侵入させた異物Ｗを、前述と同様にファール球通出路３９および球回収口３４を介して遊技補助盤２０の前面側に侵入させた後、この遊技補助盤２０の前面左側(効果音発生装置２３側)または該補助盤２０の前面右側(発射レール２６側)から遊技盤Ｄのゲーム領域４３へ侵入させようとした場合には、前述すると共に図７に示すように、前記庇状部４５が遊技盤Ｄ側を完全に隔離しているので、前記異物Ｗを遊技盤Ｄのゲーム領域４３側へ侵入させることは全く不可能である。従って本実施例のパチンコ機Ｐによれば、下球皿Ｆから侵入させた異物Ｗを、遊技補助盤２０の前面左側または前面右側から遊技盤Ｄのゲーム領域４３へ侵入させる不正行為を完全に阻止し得る。
【００２３】
更に不正者が、上球皿Ｅの前記球受け筒４２から侵入させた異物Ｗを、該球受け筒４２の後端と遊技補助盤２０の前面との間を介して該遊技補助盤２０の前面側に侵入させた後、この遊技補助盤２０の前面左側から遊技盤Ｄのゲーム領域４３へ侵入させようとした場合には、前述すると共に図６に示すように、前記庇状部４５が遊技盤Ｄ側を完全に隔離しているので、前記異物Ｗを遊技盤Ｄのゲーム領域４３側へ侵入させることは全く不可能である。従って本実施例のパチンコ機Ｐによれば、上球皿Ｅから侵入させた異物Ｗを、遊技補助盤２０の前面左側または前面右側から遊技盤Ｄのゲーム領域４３へ侵入させる不正行為を好適に阻止し得る。なお、上球皿Ｅから遊技補助盤２０の前面に侵入させた異物Ｗを、前記ファール球口３１を介して遊技盤Ｄのゲーム領域４３へ侵入させようとしても、前記壁部３３が該ファール球口３１を完全に隔離しているので、このファール球口３１を利用して前記異物Ｗを遊技盤Ｄのゲーム領域４３側へ侵入させることも不可能である。
【００２４】
【発明の効果】
以上説明した如く、本発明に係るパチンコ遊技機によれば、遊技補助盤の上縁に沿って前向きに形成した庇状部で遊技補助盤の前面側とセット枠にセットした遊技盤側とを隔離するようにしたので、上球皿または下球皿から遊技補助盤の前側へ侵入させた異物を遊技盤のゲーム領域へ侵入させる不正行為を好適に阻止し得る利点がある。
【図面の簡単な説明】
【図１】発明の好適な実施例のパチンコ機を概略で示す正面図である。
【図２】本実施例のパチンコ機における前枠を概略で示す正面図である。
【図３】枠体の設置盤およびセット保持枠の遊技補助盤を示す正面図である。
【図４】枠体の設置盤およびセット保持枠の遊技補助盤を、効果音発生装置およびカバー部材を組付ける状態で示す斜視図である。
【図５】下球皿側から球回収口を介して遊技補助盤の前面に侵入させた異物が、受け口,ファール球回収路および球回収口に被覆したカバー部材により、ファール球口側へ侵入することを阻止している状態を示す縦断側面図である。
【図６】上球皿側から球受け筒を介して遊技補助盤の前面に侵入させた異物が、遊技補助盤の上縁部から水平に延出形成された庇状部により、遊技盤のゲーム領域側へ侵入することを阻止している状態を示す縦断側面図である。
【図７】遊技補助盤の上縁部から水平に延出形成された庇状部により、上球皿または下球皿側から侵入させた異物が遊技盤のゲーム領域側へ侵入することを阻止する状態を概略的に示す縦断側面図である。
【図８】セット保持枠のセット口に前側から遊技盤をセットする状態を示す平断面図である。
【図９】セット保持枠のセット口に前側から遊技盤をセットする状態を示す側断面図である。
【符号の説明】
１１  窓枠口(開口領域)
１２  セット保持枠(セット枠)
１３  セット口(セット面域)
２０  遊技補助盤
４３  ゲーム領域
４５  庇状部
Ａ  外枠
Ｂ  前枠
Ｄ  遊技盤
【図１】
0004029245.tif 000002
【図２】
0004029245.tif 000003
【図３】
0004029245.tif 000004
【図４】
0004029245.tif 000005
【図５】
0004029245.tif 000006
【図６】
0004029245.tif 000007
【図７】
0004029245.tif 000008
【図８】
0004029245.tif 000009
【図９】
0004029245.tif 000010